(57)【特許請求の範囲】
【請求項１】
ネットワークノードのラインカードから着脱可能なラインスイッチングコンポーネントであって、
光入力信号を光伝送ネットワークから受信するための少なくとも１つの入力ポートと、
光出力信号を前記光伝送ネットワークに送信するための少なくとも１つの出力ポートと、
前記ラインカードの少なくとも１つの光インタフェースの入力ポートに接続されるように構成された少なくとも１つのさらなる出力ポートと、
前記ラインカードの少なくとも１つのさらなる光インタフェースの出力ポートに接続されるように構成された少なくとも１つのさらなる入力ポートと、
スイッチング可能な光経路システムであって、
前記光入力信号を前記少なくとも１つの入力ポートにおいて受信し、前記光入力信号を、前記少なくとも１つの光インタフェースにおける前記光入力信号のさらなる処理のために、前記少なくとも１つのさらなる出力ポートを介して、前記少なくとも１つの光インタフェースに提供し、前記光出力信号を前記少なくとも１つのさらなる光インタフェースから、前記少なくとも１つの出力ポートを介して前記光出力信号を送信するために、前記少なくとも１つのさらなる入力ポートにおいて受信することによって、前記ラインスイッチングコンポーネントを第１の動作モードで動作させるように構成されており、前記ラインカードもしくは前記ネットワークノードにおいて誤動作が生じたとき、または、第２の動作モードが強制されたときには、前記光入力信号を前記光出力信号として送信するために、前記光入力信号を、前記少なくとも１つの入力ポートから、前記少なくとも１つの出力ポートに、前記ラインスイッチングコンポーネント以外のいかなるデバイスも経由せずに転送することによって、前記ラインスイッチングコンポーネントを前記第２の動作モードで動作させるように構成されたスイッチング可能な光経路システムと、
を備える、ラインスイッチングコンポーネント。
【請求項２】
前記ラインスイッチングコンポーネントが、制御システムをさらに備え、前記制御システムが、前記制御システムに印加された制御信号の変化に基づき、前記第２の動作モードへの強制を観察するように、または、前記ラインカードもしくは前記ネットワークノードにおいて誤動作を観察するように構成されている、請求項１に記載のラインスイッチングコンポーネント。
【請求項３】
前記スイッチング可能な光経路システムが、少なくとも１つのスイッチを備えており、前記少なくとも１つのスイッチが、前記第１の動作モードの間に、前記光入力信号を前記少なくとも１つの光インタフェースに提供し、前記光出力信号を前記少なくとも１つのさらなる光インタフェースから受信し、前記第２の動作モードの間に、前記光入力信号を、前記少なくとも１つの入力ポートから前記少なくとも１つの出力ポートに転送するように構成されている、請求項１または２に記載のラインスイッチングコンポーネント。
【請求項４】
前記スイッチング可能な光経路システムが、少なくとも１つのさらなるスイッチをさらに備えており、
前記少なくとも１つのスイッチと前記少なくとも１つのさらなるスイッチとは、前記第１の動作モードの間に、前記少なくとも１つの入力ポートを、前記少なくとも１つのさらなる出力ポートに、前記少なくとも１つのスイッチの入力ポートと前記少なくとも１つのスイッチの第２の出力ポートとを介して、接続し、前記少なくとも１つのさらなる入力ポートを、前記少なくとも１つの出力ポートに、前記少なくとも１つのさらなるスイッチの第２の入力ポートと前記少なくとも１つのさらなるスイッチの出力ポートとを介して、接続するように構成されており、
前記少なくとも１つのスイッチと前記少なくとも１つのさらなるスイッチとは、前記第２の動作モードの間に、前記少なくとも１つの入力ポートを、前記少なくとも１つの出力ポートに、前記少なくとも１つのスイッチの前記入力ポートと、前記少なくとも１つのスイッチの第１の出力ポートと、前記少なくとも１つのさらなるスイッチの第１の入力ポートと、前記少なくとも１つのさらなるスイッチの出力ポートとを介して、接続するようにさらに構成されている、請求項３に記載のラインスイッチングコンポーネント。
【請求項５】
前記少なくとも１つのスイッチが、前記第１の動作モードのために所定の供給電圧を要求し、前記第２の動作モードのためにいかなる供給電圧も要求しないように構成されている、請求項３または４に記載のラインスイッチングコンポーネント。
【請求項６】
前記ラインスイッチングコンポーネントが、電気エネルギを蓄積し、前記第２の動作モードの間に、前記電気エネルギを前記少なくとも１つのスイッチに提供するための電気コンポーネントをさらに備える、請求項３または４に記載のラインスイッチングコンポーネント。
【請求項７】
前記ラインスイッチングコンポーネントが、前記第２の動作モードの間に、前記電気コンポーネントから前記少なくとも１つのスイッチに所定の電力レベルを提供するための電力コントローラをさらに備える、請求項６に記載のラインスイッチングコンポーネント。
【請求項８】
前記少なくとも１つのスイッチが波長選択スイッチであり、前記波長選択スイッチが、前記第１の動作モードでは、前記光入力信号の少なくとも１つの第１の光波長を動作させ、前記第２の動作モードでは、前記光入力信号の少なくとも１つの第２の光波長を動作させるように構成されている、請求項７に記載のラインスイッチングコンポーネント。
【請求項９】
前記ラインスイッチングコンポーネントが、前記ラインカードの前記少なくとも１つの光インタフェースと前記少なくとも１つのさらなる光インタフェースとを、同時に、前記第１の動作モードと前記第２の動作モードとの同じ動作モードで動作させるように、または、前記少なくとも１つの光インタフェースと前記少なくとも１つのさらなる光インタフェースとの一方を前記第１の動作モードで動作させ、前記少なくとも１つの光インタフェースと前記少なくとも１つのさらなる光インタフェースとのさらなる一方を前記第２の動作モードで動作させるように構成されている、請求項１から８のいずれか一項に記載のラインスイッチングコンポーネント。
【請求項１０】
前記ラインスイッチングコンポーネントが、前記ラインカードのための交換可能なプラグインコンポーネントである、請求項１から９のいずれか一項に記載のラインスイッチングコンポーネント。
【請求項１１】
ネットワークノードのためのラインカードであって、
少なくとも１つの光インタフェースであって、光入力信号を、光伝送ネットワークから、前記少なくとも１つの光インタフェースの入力ポートにおいて受信するための少なくとも１つの光インタフェースと、
少なくとも１つのさらなる光インタフェースであって、光出力信号を、前記光伝送ネットワークに、前記少なくとも１つの光インタフェースの出力ポートから送信するための少なくとも１つのさらなる光インタフェースと、
前記少なくとも１つの光インタフェースと前記少なくとも１つのさらなる光インタフェースとに接続された請求項１から１０のいずれか一項に記載の少なくとも１つの着脱可能なラインスイッチングコンポーネントと、
を備える、ネットワークノードのためのラインカード。
【請求項１２】
前記ラインカードが、前記着脱可能なラインスイッチングコンポーネントを前記ラインカードに取り付けるように構成された少なくとも１つの取付具をさらに備える、請求項１１に記載のラインカード。
【請求項１３】
前記ラインカードが、制御信号を、前記少なくとも１つの着脱可能なラインスイッチングコンポーネントに、前記少なくとも１つの着脱可能なラインスイッチングコンポーネントにおける動作モードを設定するために提供するように構成された少なくとも１つの制御信号生成ユニットをさらに備える、請求項１１または請求項１２に記載のラインカード。
【請求項１４】
請求項１１から１３のいずれか一項に記載の少なくとも１つのラインカードを備える、ネットワークノード。
【請求項１５】
ネットワークノードのラインカードから着脱可能なラインスイッチングコンポーネントを動作させるための方法であって、
前記ラインスイッチングコンポーネントが前記ラインカードに接続されているときには、光伝送ネットワークから、光入力信号を、前記ラインスイッチングコンポーネントを介して、前記ラインカードの少なくとも１つの光インタフェースにおいて、前記少なくとも１つの光インタフェースにおける前記光入力信号のさらなる処理のために、受信し、光出力信号を、少なくとも１つのさらなる光インタフェースから、前記ラインスイッチングコンポーネントを介して、前記光伝送ネットワークに送信することによって、前記ラインスイッチングコンポーネントを、第１の動作モードで動作させるステップと、
前記ラインカードもしくは前記ネットワークノードにおける誤動作を観察するか、または、前記ラインスイッチングコンポーネントを前記第１の動作モードから第２の動作モードに切り替えるための強制を観察するステップと、
前記ラインスイッチングコンポーネントが前記ラインカードから切断されており、前記誤動作が決定されるとき、または、前記強制が決定されるときには、前記光入力信号を前記光出力信号として送信するために、前記光入力信号を、前記ラインスイッチングコンポーネントの入力ポートから、前記ラインスイッチングコンポーネントの出力ポートに、前記ラインスイッチングコンポーネント以外のいかなるデバイスも経由せずに転送することによって、前記ラインスイッチングコンポーネントを、前記第２の動作モードで動作させるステップと、
を備える、方法。
【発明の詳細な説明】
【技術分野】
【０００１】
本発明は、通信システムにおける伝送信頼性に関し、さらに詳しくは、排他的にではないが、光インタフェースを有するラインカードのためのシステムアーキテクチャに関する。
【背景技術】
【０００２】
このセクションでは、本発明のより良い理解を容易にするために役立ち得る態様を詳解する。したがって、このセクションの記載は、この観点から読まれるべきであって、何が従来技術に含まれるのかに関する承認として理解されるべきではない。
【０００３】
通信システムでは、情報は、典型的には、光ファイバを介して交換される。最も普及している伝送フォーマットは、ＩＴＵ−Ｔ（ＩＴＵ−Ｔ＝Ｉｎｔｅｒｎａｔｉｏｎａｌ  Ｔｅｌｅｃｏｍｍｕｎｉｃａｔｉｏｎｓ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）によって定義されたＳＤＨ／Ｓｏｎｅｔ（ＳＤＨ＝Ｓｐｅｃｉｆｉｃａｔｉｏｎ  ａｎｄ  Ｄｅｓｒｉｐｔｉｏｎ  Ｌａｎｇｕａｇｅ、ＳＯＮＥＴ＝Ｓｙｎｃｈｒｏｎｏｕｓ  Ｏｐｔｉｃａｌ  Ｎｅｔｗｏｒｋｉｎｇ）、ＯＴＮ（ＯＴＮ＝Ｏｐｔｉｃａｌ  Ｔｒａｎｓｐｏｒｔ  Ｎｅｔｗｏｒｋ）、およびＤＷＤＭ（ＤＷＤＭ＝Ｄｅｎｓｅ  Ｗａｖｅｌｅｎｇｔｈ  Ｄｉｖｉｓｉｏｎ  Ｍｕｌｔｉｐｌｅｘｉｎｇ）である。
【０００４】
光ファイバは、ルータまたは光通信ネットワークの他のネットワーク要素を接続するのに用いられる。これらの光ファイバのための光インタフェースは、典型的には、いわゆるラインカード上に配置される。このようなネットワーク要素は、通常、いくつかの他のネットワーク要素とのインタフェースとなることが意図されているため、典型的には、複数の光インタフェースが提供され、そのうちのいくつかは、ラインカード上に配置され得る。同様に、１つのネットワーク要素が、多くのラインカードを有することも可能である。
【０００５】
そのようなラインカードがハードウェアの故障により影響を受けるとき、または、ラインカードを実装しているネットワーク要素さえもが深刻なハードウェアの故障によって影響を受けるときには、典型的には、そのラインカード上に実装されているすべての光インタフェースが、ラインカードと共に故障する。これは、終端された、および／または特定のネットワーク要素において処理されたデータトラフィック（「終端トラフィック」）に対してであれば、受け入れることができるが、それは、また、ラインカードによって、その光インタフェースのうちの１つからその光インタフェースのうちのさらなる１つに単に転送される（「通過させられる」）すべてのさらなるデータトラフィックにも影響を与える（すなわち、中断させる）。この通過トラフィックの中断は、追加的な保護機構によって対処されることが必要な深刻な障害である。典型的には、ネットワーク要素は、ラインカードが故障するときには冗長性を用いた、いわゆる機器保護によって、すなわち、そのネットワーク要素に既に設置されており、そのラインカード（「保護されるカード」）の機能を引き継ぐことが可能な少なくとも１つの追加的なラインカード（「保護用カード」）を有することによって、または、ネットワーク要素への光リンクが故障するときにはそのネットワーク要素の異なるポートを介する、いわゆるネットワーク保護によって、データトラフィックを保護することが可能である。そのような追加的なラインカードは、システムのコストおよび複雑性を増加させる。たとえば、ＩＰルータ（ＩＰ＝Ｉｎｔｅｒｎｅｔ  Ｐｒｏｔｏｃｏｌ）の場合、追加的なラインカードのためのコストは、たとえば１０，０００ユーロを超える範囲であり得る。両方の保護機構、すなわち機器保護とネットワーク保護とは、同時に適用され得る補完的な機構である。
【０００６】
政府のネットワークまたは軍事用のネットワークなど、非常に重要であり故障すべきではない通信システムの場合には、より高い冗長性が要求され、したがって、追加的な光ファイバ（「保護用ファイバ」）が、主要な光ファイバ（「保護されるファイバ」）に加えて、設置される場合があり得る。これらの保護用ファイバは、データトラフィックのための保護機構を増強させるために保護用カードに接続され得るが、これらは、保護されているファイバのうちの１つまたは保護されるカードのうちの１つが故障するときにデータトラフィックを引き継ぐだけである。そのような追加的なファイバ接続は、やはり高価であり、たとえば数十キロメートル、数百キロメートル、数千キロメートルなど、長距離にわたるときには、特にそうである。
【先行技術文献】
【非特許文献】
【０００７】
【非特許文献１】Ｍｉｎｇ．Ｃ．Ｗｕ、「Ｏｐｔｉｃａｌ  ｂｅｎｃｈ  ｔｅｃｈｎｏｌｏｇｙ  ｈｏｌｄｓ  ｐｒｏｍｉｓｅ」、Ｅｌｅｃｔｒｉｃａｌ  Ｅｎｇｉｎｅｅｒｉｎｇ  Ｄｅｐａｒｔｍｅｎｔ、Ｕｎｉｖｅｒｓｉｔｙ  ｏｆ  Ｃａｌｉｆｏｒｎｉａ、Ｌｏｓ  Ａｎｇｅｌｅｓ、１９９９年６月３日（ｈｔｔｐ：／／ｗｗｗ．ｅｍｂｅｄｄｅｄ．ｃｏｍ／ｐｒｉｎｔ／４０３８２８１）
【発明の概要】
【発明が解決しようとする課題】
【０００８】
本発明の実施形態の目的は、データトラフィック保護手段のためのコストを低減させること、そして、光通信ネットワークにおけるデータトラフィックの保護を増強させることである。
【課題を解決するための手段】
【０００９】
これらの目的は、ネットワークノードのラインカードから分離可能なラインスイッチングコンポーネントによって、達成される。このラインスイッチングコンポーネントは、光入力信号を光伝送ネットワークから受信するための少なくとも１つの入力ポートと、光出力信号を光伝送ネットワークに送信するための少なくとも１つの出力ポートとを含む。このラインスイッチングコンポーネントは、さらに、ラインカードの少なくとも１つの光インタフェースの入力ポートに接続されるように構成された少なくとも１つのさらなる出力ポートと、ラインカードの少なくとも１つの光インタフェースの出力ポートに接続されるように構成された少なくとも１つのさらなる入力ポートとを含む。このラインスイッチングコンポーネントは、またさらに、少なくとも１つの入力ポートにおいて光入力信号を受信し、光入力信号を、少なくとも１つの光インタフェースにおける光入力信号のさらなる処理のために、少なくとも１つのさらなる出力ポートを介して、少なくとも１つの光インタフェースに提供し、少なくとも１つの光インタフェースからの光出力信号を、少なくとも１つの出力ポートを介して光出力信号を送信するために、少なくとも１つのさらなる入力ポートにおいて受信することによって、ラインスイッチングコンポーネントを第１の動作モードで動作させ、ラインカードもしくはネットワークノードにおいて誤動作が生じているとき、または、第２の動作モードが強制されているときには、光入力信号を、光入力信号を光出力信号として送信するために、少なくとも１つの入力ポートから、少なくとも１つの出力ポートに転送することによって、ラインスイッチングコンポーネントを第２の動作モードで動作させるように構成されたスイッチング可能な光経路システムと、を備える。誤動作の間に、窮極的な誤動作を示さない間欠的な状態が生じる場合には、たとえば第１の動作モードと第２の動作モードとの間の切り替えを回避するために、強制が適用され得る。たとえばラインカードまたはラインカードを含むネットワークノードにおけるメンテナンス作業をサポートするために、強制が、誤動作とは無関係に適用される場合もあり得る。
【００１０】
目的は、さらに、ネットワークノードのためのラインカードによって達成される。ラインカードは、光入力信号を、光伝送ネットワークから、少なくとも１つの光インタフェースの入力ポートにおいて受信し、光出力信号を、光伝送ネットワークに、少なくとも１つの光インタフェースの出力ポートから送信するための少なくとも１つの光インタフェースを含む。ラインカードは、さらに、既に上述されたように、そして、以下の段落でも説明されるように、少なくとも１つの光インタフェースに接続された少なくとも１つの分離可能なラインスイッチングコンポーネントを含む。
【００１１】
目的は、またさらに、前の段落で説明された特徴を有する少なくとも１つのラインカードを含むネットワークノードによっても、達成される。
【００１２】
目的は、またさらに、ネットワークノードのラインカードから分離可能なラインスイッチングコンポーネントを動作させるための方法によっても、達成される。この方法は、ラインスイッチングコンポーネントがラインカードに接続されているときには、光伝送ネットワークから、光入力信号を、ラインスイッチングコンポーネントを介して、ラインカードの少なくとも１つの光インタフェースにおいて、少なくとも１つの光インタフェースにおける光入力信号のさらなる処理のために、受信し、光出力信号を、少なくとも１つの光インタフェースから、ラインスイッチングコンポーネントを介して、光伝送ネットワークに送信することによって、ラインスイッチングコンポーネントを、第１の動作モードで動作させるステップを含む。この方法は、さらに、ラインスイッチングコンポーネントを第１の動作モードから第２の動作モードに切り替えるために、ラインカードもしくはネットワークノードにおける誤動作を観察する、または、明示的な信号の受信を観察するステップを含む。この方法は、誤動作が生じたとき、または、明示的な信号が受信されたとき、または、ラインスイッチングコンポーネントがラインカードから切断されているときに、光入力信号を光出力信号として送信するために、光入力信号を、ラインスイッチングコンポーネントの入力ポートから、ラインスイッチングコンポーネントの出力ポートに転送することによって、ラインスイッチングコンポーネントを、第２の動作モードで動作させるステップを、またさらに含む。
【００１３】
この実施形態は、ラインカードまたはネットワークノードが誤動作を有するときに、通過トラフィックが生き残り、別のネットワークノードに転送されることを可能にする方法とラインスイッチングコンポーネントと、ラインカードと、ネットワークノードとを提供する。この実施形態は、さらに、損傷を受けたラインカードが新たなラインカードに交換される、または、損傷を受けたネットワークノードが新たなネットワークノードによって交換される時間期間の間に、通過トラフィックが生き残り、別のネットワークノードに転送されることを可能にする。これにより、通過トラフィックの連続的な動作が、ラインカードの故障またはそれ以外の故障の間、および、対応するラインカードの動作の成功への影響を有する欠陥コンポーネントの交換の間、保証されることが可能になる。この実施形態は、ラインカードまたは対応するラインカードを設置しているネットワークノードが故障したときに、通信システムに冗長性を提供する必要性に関するコストを低減するというさらなる利点を提供する。
【００１４】
一実施形態では、ラインスイッチングコンポーネントは、さらに、制御システムに印加された制御信号の変化に基づいて、第２の動作モードへの強制を観察するように、または、ラインカードもしくはネットワークノードにおいて誤動作を観察するように構成された制御システムを含む。好適な実施形態は、ラインスイッチングコンポーネント自体が、第１の動作モードと第２の動作モードの間の切り替えが要求されるかどうかを決定することができる、という利点を提供する。
【００１５】
好ましくは、制御システムは、制御信号が検出可能でないときには、誤動作を決定するように構成され得る。これは、ラインカードまたはネットワークノードの欠陥が制御信号の生成に影響を与え妨害するときであっても、誤動作が決定されることが可能である、という利点を提供する。
【００１６】
代替実施形態によると、ラインカードまたはラインカードを含むネットワークノードは、誤動作を観察するように構成され、さらに、好ましくは、制御ラインを介した制御信号によって、ラインスイッチングコンポーネントに、誤動作が観察されないときには第１の動作モードで動作すること、または誤動作が観察されたときには第２の動作モードで動作することのいずれかを命令するように、構成されている。
【００１７】
さらなる実施形態では、ラインスイッチングコンポーネントは、さらに、電気エネルギを蓄積するコンデンサなどの電気コンポーネントを含み得るのであって、この電気コンポーネントは、ラインスイッチングコンポーネントがラインカードから切断されているときには、ラインスイッチングコンポーネントを第２の動作モードで動作させるために、蓄積された電気エネルギに基づいて、所定の供給電圧を提供するように構成され得る。このさらなる実施形態は、スイッチング可能な光経路システムのためのスイッチなどのコンポーネントも適用することを可能にするが、これには、常に、ラインスイッチングコンポーネントを第１の動作モードまたは第２の動作モードで動作させるために、所定の供給電圧が要求される。
【００１８】
さらなる好適実施形態では、ラインスイッチングコンポーネントは、さらに、第１の動作モードの間に、光入力信号を少なくとも１つの光インタフェースに提供し、光出力信号を少なくとも１つの光インタフェースから受信し、第２の動作モードの間に、光入力信号を少なくとも１つの入力ポートから少なくとも１つの出力ポートに転送するように構成された少なくとも１つのスイッチを含む。
【００１９】
好適実施形態のうちの１つによると、ラインスイッチングコンポーネントは、さらに、少なくとも１つのさらなるスイッチを含む。少なくとも１つのスイッチと少なくとも１つのさらなるスイッチとは、第１の動作モードの間に、少なくとも１つの入力ポートを、少なくとも１つのさらなる出力ポートに、少なくとも１つのスイッチの入力ポートと少なくとも１つのスイッチの第２の出力ポートとを介して接続し、少なくとも１つのさらなる入力ポートを少なくとも１つの出力ポートに、少なくとも１つのさらなるスイッチの第２の入力ポートと少なくとも１つのさらなるスイッチの出力ポートとを介して接続するように、構成される。少なくとも１つのスイッチと少なくとも１つのさらなるスイッチとは、さらに、第２の動作モードの間に、少なくとも１つの入力ポートを、少なくとも１つの出力ポートに、少なくとも１つのスイッチの入力ポートと、少なくとも１つのスイッチの第１の出力ポートと、少なくとも１つのさらなるスイッチの第１の入力ポートと、少なくとも１つのさらなるスイッチの出力ポートとを介して接続するように構成される。
【００２０】
さらなる好適実施形態では、少なくとも１つのスイッチが、第１の動作モードのためには所定の供給電圧を必要とするが、第２の動作モードのためには供給電圧をまったく必要としないように構成されることがあり得る。そのような機能を提供するスイッチは、たとえば、ＭＥＭＳスイッチ（ＭＥＭＳ＝Ｍｉｃｒｏ  Ｅｌｅｃｔｒｏ  Ｍｅｃｈａｎｉｃａｌ  Ｓｙｓｔｅｍ）である。そのような場合には、ラインスイッチングコンポーネントは、ラインスイッチングコンポーネントがラインカードから切断されている、または、ラインカードからラインスイッチングコンポーネントに給電がなされていないとき、ラインスイッチングコンポーネントに電力の供給なしで、第２の動作モードで受動的に動作するように構成され得る。このさらなる好適実施形態は、ラインスイッチングコンポーネントを、まったく電力を消費することなく、蓄電池などのサポート用電源をマニュアルでラインスイッチングコンポーネントに接続する必要なくして、ラインスイッチングコンポーネントを第２の動作モードで動作させるという利点を提供する。
【００２１】
一代替実施形態では、ラインスイッチングコンポーネントが、第１の動作モードと第２の動作モードとの同じ動作モードで、ラインカードの少なくとも１つのデータインタフェースと少なくとも１つのさらなるデータインタフェースを同時に動作させるように構成される場合があり得る。そのような場合には、単一のラインスイッチングコンポーネントが、通過トラフィックが生き残り、ラインカードの２つまたはそれよりも多くのデータインタフェースのために別のネットワークノードに転送されることを可能にするために、用いられることが可能である。これは、冗長性の要件に関する設置のためのコストをさらに低減させるという利点を提供する。
【００２２】
さらなる代替実施形態によると、ラインスイッチングコンポーネントが、ラインカードの少なくとも１つのデータインタフェースと少なくとも１つのさらなるデータインタフェースとを、逆の動作モードで別々に動作させるように構成され得るのであって、たとえば、第１の時間期間の間に、第１のデータインタフェースを第１の動作モードで、第２のデータインタフェースを第２の動作モードで動作させ、そして、第１の時間期間の後の第２の時間期間の間は、第１のデータインタフェースを第２の動作モードで、第２のデータインタフェースを第１の動作モードで、動作させる。
【００２３】
好ましくは、ラインスイッチングコンポーネントは、ラインカードに対する交換可能なプラグインコンポーネントであり得る。これは、ラインカードが設置されているときにラインカードまたはネットワークノードが故障した場合だけではなく、ラインカードが別の新たなラインカードと交換されるときにも、通過トラフィックが別のネットワークノードに転送されることを可能にするという第１の利点を提供する。さらに、ラインスイッチングコンポーネントが、新たなラインカードのために再利用されることが可能である。光ファイバを切断する必要はない。これにより、通過トラフィックが、ラインカードの交換の間に、影響を受けないことが可能になり、たとえば、ラインスイッチングコンポーネントは、そのラインスイッチングコンポーネントが、あるラインカードから別のラインカードに移動させられる間も、第２の動作モードで動作を継続することが可能である。
【００２４】
さらなる実施形態によると、ラインカードは、ラインスイッチングコンポーネントをラインカードに取り付けるように構成された少なくとも１つの取付具を、さらに含み得る。
【００２５】
またさらなる実施形態において、ラインカードは、少なくとも１つの分離可能なラインスイッチングコンポーネントにおいて動作モードを設定するために、少なくとも１つの分離可能なラインスイッチングコンポーネントに制御信号を提供するように構成され得る制御信号生成ユニットを、さらに含むことがあり得る。あるいは、制御信号が、ネットワークノードの別個の電力源によって提供されることもあり得る。
【００２６】
本発明の実施形態のさらなる有利な特徴が、以下の詳細な説明において、定義され、説明される。
【００２７】
本発明の実施形態は、以下の詳細な説明において明らかになり、非制限的な例証として与えられている添付の図面によって、図解される。
【図面の簡単な説明】
【００２８】
【図１】従来型のラインカードと、そのラインカードに接続された光ファイバとの概略的なブロック図である。
【図２】図１のラインカードとの関係で、通過トラフィックと、終端トラフィックと、発生トラフィックとが、どのようにしてラインカードによって処理されるかに関する概略図である。
【図３】本発明の例示的な実施形態による、第１の動作モードと第２の動作モードとの間でラインスイッチングコンポーネントを切り替えるための２つのスイッチを備えたラインスイッチングコンポーネントの概略的なブロック図である。
【図４】ａ）は図３のラインスイッチングコンポーネントとの関係で、２つのスイッチが第１の動作モードに従って調整されるときの、入力データトラフィックのための第１の内部伝送経路と、出力データトラフィックのための第２の内部伝送経路との概略図であり、ｂ）は図３のラインスイッチングコンポーネントとの関係で、２つのスイッチが第２の動作モードに従って調整されるときの、入力データトラフィックのための内部伝送経路の概略図である。
【図５】２つのインタフェースと、ラインカードに取り付けられ２つのインタフェースに接続されたラインスイッチングコンポーネントと、２つのインタフェースの一方にそれぞれが接続された２つの処理ユニットとを含む、本発明のある例示的な実施形態によるラインカードの概略的なブロック図である。
【図６】ラインスイッチングコンポーネントがラインカードから切り離されているときの、図５のラインカードの概略図である。
【図７】本発明のさらなる例示的な実施形態による、第１の動作モードと第２の動作モードとの間でこのラインスイッチングコンポーネントを切り替えるための２つのスイッチを備えたラインスイッチングコンポーネントの概略的なブロック図である。
【図８】本発明の一例示的な実施形態によりネットワークノードのラインカードのラインスイッチングコンポーネントを動作させるための方法の概略的な流れ図である。
【図９】本発明の一例示的な実施形態によるいくつかのラインカードを含むネットワークノードの概略的なブロック図である。
【発明を実施するための形態】
【００２９】
この説明および図面は、単に、本発明の原理を例証するものである。したがって、本明細書では明示的に説明されておらず示されてもいないが、当業者であれば、本発明の原理を具現化し、その精神と範囲とに含まれる様々な構成を考案することが可能であることは、理解されるだろう。さらに、本明細書に記載されたすべての例は、基本的に、読者が、本発明の原理と技術分野の発展のために発明者により寄与された概念とを理解する際の補助になる教育的な目的のためのものにすぎない、ということが明確に意図されており、それらの個別的に記載された例および条件に限定されずに、解釈されるべきである。その上に、本発明の原理、態様、および実施形態、ならびにそれらの特定の例に言及する本明細書の全記載はそれらの均等物にも及ぶことが意図されている。
【００３０】
複数の図面に図示されている複数の処理ユニットにわたる処理機能を分離することは、重要ではなく、当業者によって理解されるように、処理ユニットの個数と、処理機能の個数と、複数の処理機能の複数の処理ユニットへの配分とは、添付の特許請求の範囲において定義されている本発明の実施形態の範囲から逸脱することなく、変化し得る。方法を実行するためのステップの個数は、重要ではなく、当業者によって理解されるように、ステップの個数と、ステップのシーケンスとは、添付の特許請求の範囲において定義されている本発明の実施形態の範囲から逸脱することなく、変化し得る。
【００３１】
図１は、光伝送ネットワークのための従来型のラインカードＬＣ−ＰＡと、ラインカードＬＣ−ＰＡに接続されている光ファイバＦＢ−ＩＮ−１、ＦＢ−ＯＵＴ−１、ＦＢ−ＩＮ−２、ＦＢ−ＯＵＴ−２とのブロック図を概略的に示している。簡略化するために、光伝送ネットワークは、図示されていない。
【００３２】
入力光ファイバＦＢ−ＩＮ−１、ＦＢ−ＩＮ−２は、光伝送ネットワークのルータ、スイッチまたはそれら以外のデバイスからの光接続を提供し、出力光ファイバＦＢ−ＯＵＴ−１、ＦＢ−ＯＵＴ−２は、光伝送ネットワークの同じまたはさらなるルータ、スイッチもしくはデバイスに光接続を提供する。同じルータ、スイッチまたはデバイスは、典型的な場合である双方向接続の場合に、適用される。光伝送ネットワークのルータ、スイッチならびにさらなるルータおよびスイッチもまた、簡略化のために、図示されていない。
【００３３】
ラインカードＬＣ−ＰＡは、例示的に、第１の光インタフェースＩＦ−１と、第２の光インタフェースＩＦ−２とを含む。光インタフェースＩＦ−１、ＩＦ−２は、好ましくは、双方向的なインタフェースであり得るのであって、たとえば、ＸＦＰモジュール（ＸＦＰ＝１０ギガビットのスモールフォームファクタプラガブル（Ｓｍａｌｌ  Ｆｏｒｍ  Ｆａｃｔｏｒ  Ｐｌｕｇｇａｂｌｅ））であり得る。あるいは、ラインカードＬＣ−ＰＡが、１つの光入力／出力インタフェース、または、４もしくはそれよりさらに多くの光入力／出力インタフェースを含む場合もあり得る。さらなる代替形態では、インタフェースＩＦ−１、ＩＦ−２が、一方向性のインタフェースである場合もあるが、一方向性のインタフェースとは、第１の光インタフェースＩＦ−１がたとえば光入力インタフェースであり、第２の光インタフェースＩＦ−２がたとえば光出力インタフェースであり得る、ということを意味する。
【００３４】
第１の光入力ファイバＦＢ−ＩＮ−１は、第１の光インタフェースＩＦ−１の入力ポートＩＰ−ＩＦ−１に接続されている。第１の光出力ファイバＦＢ−ＯＵＴ−１は、第１の光インタフェースＩＦ−１の出力ポートＯＰ−ＩＦ−１に接続されている。同様にして、第２の光入力ファイバＦＢ−ＩＮ−２は、第２の光インタフェースＩＦ−２の入力ポートＩＰ−ＩＦ−２に接続され、第２の光出力ファイバＦＢ−ＯＵＴ−２は、第２の光インタフェースＩＦ−２の出力ポートＯＰ−ＩＦ−２に接続されている。第１の光インタフェースＩＦ−１と第２の光インタフェースＩＦ−２とは、共に、たとえば、光受信信号を入力方向の電気入力信号に変換し、たとえば、電気出力信号を出力方向の光送信信号に変換するように、構成されている。
【００３５】
ラインカードＬＣ−ＰＡは、さらに、第１の処理ユニットＰＵ−１−ＰＡと第２の処理ユニットＰＵ−２−ＰＡとを含むが、これらは、たとえば、プリント回路基板上の電子回路であり得る。第１の処理ユニットＰＵ−１−ＰＡと第２の処理ユニットＰＵ−２−ＰＡとは、それぞれが、ＳＤＨ／Ｓｏｎｅｔ、ＯＴＮ、イーサネット（登録商標）またはＩＰなどの適用される伝送フォーマットに従って、入力データと出力データとを処理するために、ある特定のデータ処理機能またはいくつかのデータ処理機能を提供するように構成されている。これらのデータ処理機能は、いわゆる通過トラフィックＰＴＴ（図２を参照）の識別に加えて、たとえば、ＩＰルーティング、イーサネットスイッチング、ＯＴＮフレーミング、ＯＴＮマッピングまたはＯＴＮスイッチングである。第１の処理ユニットＰＵ−１−ＰＡは、第１の光インタフェースＩＦ−１の入力データと出力データをと処理する責任を有し得るのに対し、第２の処理ユニットＰＵ−２−ＰＡは、第２の光インタフェースＩＦ−２の入力データと出力データをと処理する責任を有し得る。一代替形態では、ラインカードＬＣ−ＰＡが、第１の光インタフェースＩＦ−１と第２の光インタフェースＩＦ−２との両方の、または、さらに多くの光インタフェースの入力データと出力データとを処理する責任を有する単一の処理ユニットを含む場合があり得る。さらなる代替形態では、ｎ個（ｎ≧２）の処理ユニットが単一の光インタフェースの入力データと出力データとを処理する責任を有する場合があり得、または、より一般的には、ｍ個（ｍ≧１）の処理ユニットがｎ個（ｎ≧１）の光インタフェースの入力データと出力データとを処理する責任を有する場合があり得る。
【００３６】
簡略化のため、第１の処理ユニットＰＵ−１−ＰＡと第２の処理ユニットＰＵ−２−ＰＡとの間の接続、処理ユニットＰＵ−１−ＰＡ、ＰＵ−２−ＰＡといわゆるバックプレーンとの間の接続、または、処理ユニットＰＵ−１−ＰＡ、ＰＵ−２−ＰＡとさらなるラインカードのさらなる処理ユニットとの間の接続は、図示されていない。
【００３７】
ラインカードＬＣ−ＰＡは、さらに、第１の光インタフェースＩＦ−１と第１の処理ユニットＰＵ−１−ＰＡとの間の第１の内部双方向接続ＩＢＣ−１と、第２の光インタフェースＩＦ−２と第２の処理ユニットＰＵ−２−ＰＡとの間の第２の内部双方向接続ＩＢＣ−２とを含む。第１の内部双方向接続ＩＢＣ−１は、第１の光インタフェースＩＦ−１から第１の処理ユニットＰＵ−１−ＰＡへ、第１の電気入力信号を提供し、第１の処理ユニットＰＵ−１−ＰＡから第１の光インタフェースＩＦ−１へ、第１の電気出力信号を提供する。同様にして、第２の内部双方向接続ＩＢＣ−２は、第２の光インタフェースＩＦ−２から第２の処理ユニットＰＵ−２−ＰＡへ、第２の電気入力信号を提供し、第２の処理ユニットＰＵ−２−ＰＡから第２の光インタフェースＩＦ−１へ、第２の電気出力信号を提供する。
【００３８】
図２は、図１のラインカードＬＣ−ＰＡとの関係で、通過トラフィックＰＴＴと、いわゆる終端トラフィックＴＴと、いわゆる発生トラフィックＯＴとが、どのようにラインカードＬＣ−ＰＡによって処理されるかを、概略的に示している。
【００３９】
終端トラフィックＴＴは、データトラフィックであり、このデータトラフィックは、光入力ファイバＦＢ−ＩＮ−１、ＦＢ−ＩＮ−２の一方から、光入力／出力インタフェースＩＦ−１、ＩＦ−２の対応する一方によって抽出され、たとえばＩＰルーティング、イーサネットスイッチング、ＯＴＮフレーミング、ＯＴＮマッピングおよびＯＴＮスイッチングを適用するネットワークプロファイルに従って、処理ユニットＰＵ−１−ＰＡ、ＰＵ−２−ＰＡの一方によって処理される。例示であるが、第１の光入力単一波長信号で変調された第１の入力データトラフィックは、第１の光インタフェースＩＦ−１で受信され、第１の光インタフェースＩＦ−１によって、第１の電気入力信号に変換される。第１の電気入力信号は、第１の光インタフェースＩＦ−１から、第１の内部双方向接続ＩＢＣ−１を介して、第１の処理ユニットＰＵ−１−ＰＡに提供されるが、この第１の処理ユニットＰＵ−１−ＰＡは、第１のステップにおいて、第１の入力データトラフィックの受信アドレスを識別し、第２のステップにおいて、第１の入力データトラフィックを終端トラフィックＴＴとして検出し、その理由は、この受信アドレスは、ラインカードＬＣ−ＰＡまたはラインカードＬＣ−ＰＡを設置済みのネットワークノードに属するからであり、したがって、第３のステップにおいて、第１の入力データトラフィックを、例示的に上述された対応するネットワークプロファイルに従って処理する。これは、第１の入力データトラフィックが、たとえば、第１の入力／出力インタフェースＩＦ−１などラインカードＬＣ−ＰＡの別の光入力／出力インタフェースに、または、ラインカードＬＣ−ＰＡを設置済みのネットワークノードの別のラインカードＬＣ−ＰＡに転送され得る、ということを意味する。
【００４０】
発生トラフィックＯＴは、さらなるデータトラフィックであり、これは、光インタフェースＩＦ−１、ＩＦ−２の一方によって、光出力ファイバＦＢ−ＯＵＴ−１、ＦＢ−ＯＵＴ−２の対応する一方に、追加される。発生トラフィックＯＴを用いて変調された第２の電気出力信号は、たとえば、ネットワークノードの別のラインカードから、発生トラフィックＯＴを第２の内部双方向接続ＩＢＣ−２を介して第２の光インタフェースＩＦ−２に転送する第２の処理ユニットＰＵ−２−ＰＡに提供され得る。第２の光インタフェースＩＦ−２は、第２の電気出力信号を、発生トラフィックＯＴを用いて変調された第２の光出力信号に変換し、発生トラフィックを、第２の光出力ファイバＦＢ−ＯＵＴ−２に出力する。
【００４１】
通過トラフィックＰＴＴは、またさらなるデータトラフィックであり、これは、光入力ファイバＦＢ−ＩＮ−１、ＦＢ−ＩＮ−２の一方を介して、光インタフェースＩＦ−１、ＩＦ−２の一方において受信され、光インタフェースＩＦ−１、ＩＦ−２の他方によって、光出力ファイバＦＢ−ＯＵＴ−１、ＦＢ−ＯＵＴ−２の対応する一方を介して、転送される。このような通過トラフィックＰＴＴは、たとえば、各ネットワークノードが厳密に２つの他のネットワークノードに接続する、いわゆる光リングネットワークまたはＥＲＰネットワーク（ＥＲＰ＝イーサネットリングプロテクション）において出現し、各ネットワークノードを通過する光信号のための単一の連続的な経路を形成する。データトラフィックを光リングネットワークに挿入する入力ネットワークノードとデータトラフィックを光リングネットワークから抽出する出力ネットワークノードとの間で、連続的な経路に沿った各ネットワークノードが、データトラフィックを処理する。例示的には、第２の光入力単一波長信号で変調された第２の入力データトラフィックが、第１の光インタフェースＩＦ−１で受信され、第１の光インタフェースＩＦ−１によって第２の電気入力信号に変換される。第２の電気入力信号は、第１の光インタフェースＩＦ−１から、第１の内部双方向接続ＩＢＣ−１を介して、第１の処理ユニットＰＵ−１−ＰＡに提供され、第１の処理ユニットＰＵ−１−ＰＡは、第２の入力データトラフィックを、第２の入力データトラフィックが通過トラフィックＰＴＴであることを識別するために、当業者に知られている方法に従って処理する。このような場合には、識別された通過トラフィックＰＴＴは、第１の処理ユニットＰＵ−１−ＰＡから、第２の処理ユニットＰＵ−２−ＰＡに提供し得るが、第２の処理ユニットＰＵ−２−ＰＡは、さらに、第２の処理ユニットＰＵ−２−ＰＡからの第２の電気出力信号を、第２の内部双方向接続ＩＢＣ−２を介して、第２の光インタフェースＩＦ−２に提供する。第２の光インタフェースＩＦ−２は、第２の電気出力信号を第２の光出力信号に変換し、通過トラフィックＰＴＴを用いて変調された第２の光出力信号を第２の光出力ファイバＦＢ−ＯＵＴ−２に出力する。
【００４２】
図３は、例示的な実施形態に従って第１の動作モードと第２の動作モードの間で切り替え可能なラインスイッチングコンポーネントＬＳＣのブロック図を、概略的に示している。一般に、ラインスイッチングコンポーネントＬＳＣは、少なくとも１つの第１の入力ポートＥＩＰ−１と、少なくとも１つの第１の出力ポートＥＯＰ−１と、少なくとも１つの第２の出力ポートＩＯＰ−２と、少なくとも１つの第２の入力ポートＩＩＰ−２と、スイッチング可能な光経路システムＳＬＳとを含み得る。
【００４３】
少なくとも１つの第１の入力ポートＥＩＰ−１は、光入力信号を、光伝送ネットワークから、図１および図２に示されている第１の光入力ファイバＦＢ−ＩＮ−１または第２の光入力ファイバＦＢ−ＩＮ−２であり得る光入力ファイバＦＢ−ＩＮを介して受信するように、構成されている。少なくとも１つの第１の出力ポートＥＯＰ−１は、光出力信号を、光伝送ネットワークに、図１および図２に示されている第１の光出力ファイバＦＢ−ＯＵＴ−１または第２の光出力ファイバＦＢ−ＯＵＴ−２であり得る光出力ファイバＦＢ−ＯＵＴを介して送信するように、構成されている。少なくとも１つの第２の出力ポートＩＯＰ−２は、図５に示されているラインカードＬＣの光インタフェースＩＦ−１、ＩＦ−２の一方の入力ポートに接続されるように、構成されている。少なくとも１つの第２の入力ポートＩＩＰ−２は、ラインカードＬＣの光インタフェースＩＦ−１、ＩＦ−２の一方の出力ポートに接続されるように、構成されている。
【００４４】
スイッチング可能な光経路システムＳＬＳは、光入力信号を少なくとも１つの第１の入力ポートＥＩＰ−１において受信し、光入力信号を、少なくとも１つの第２の出力ポートＩＯＰ−２を介して、光インタフェースＩＦ−１、ＩＦ−２の一方に、光インタフェースＩＦ−１、ＩＦ−２のその一方における光入力信号のさらなる処理のために、提供し、光出力信号を、光インタフェースＩＦ−１、ＩＦ−２のさらなる一方から、少なくとも１つの第２の入力ポートＩＩＰ−２において、少なくとも１つの出力ポートＥＯＰ−１を介して光出力信号を送信するために、受信することによって、ラインスイッチングコンポーネントＬＳＣを第１の動作モードで動作させるように、構成されている。さらなる処理とは、入力データと出力データとを、図１に関して上述されたＳＤＨ／Ｓｏｎｅｔ、ＯＴＮ、イーサネットまたはＩＰなど、適用される伝送フォーマットに従って処理するための特定のデータ処理機能であり得る。そのような処理機能は、たとえば、通過トラフィックＰＴＴの識別に加えて、ＩＰルーティング、イーサネットスイッチング、ＯＴＮフレーミング、ＯＴＮマッピング、またはＯＴＮスイッチングである。
【００４５】
スイッチング可能な光経路システムＳＬＳは、さらに、誤動作がラインカードＬＣにおいてもしくはラインカード（図９を参照）を含むネットワークノードにおいて生じたとき、または、第２の動作モードが強制されているときに、光入力信号を光出力信号として送信するために、光入力信号を、少なくとも１つの第１の入力ポートＥＩＰ−１から、少なくとも１つの第１の出力ポートＥＯＰ−１に転送することによって、ラインスイッチングコンポーネントＬＳＣを第２の動作モードで動作させるように、構成されている。
【００４６】
ラインスイッチングコンポーネントＬＳＣは、好ましくは、少なくとも１つのスイッチＳＷ−１、ＳＷ−２を含んでおり、この少なくとも１つのスイッチＳＷ−１、ＳＷ−２は、第１の動作モードの間に、光入力信号を、少なくとも１つの光インタフェースＩＦ−１、ＩＦ−２に提供し、光出力信号を、少なくとも１つの光インタフェースＩＦ−１、ＩＦ−２から受信し、第２の動作モードの間に、光入力信号を、少なくとも１つの入力ポートＥＩＰ−１から少なくとも１つの出力ポートＥＯＰ−１に転送するように、構成されている。
【００４７】
単一のスイッチは、たとえば、Ｍｉｎｇ．Ｃ．Ｗｕ、「Ｏｐｔｉｃａｌ  ｂｅｎｃｈ  ｔｅｃｈｎｏｌｏｇｙ  ｈｏｌｄｓ  ｐｒｏｍｉｓｅ」、Ｅｌｅｃｔｒｉｃａｌ  Ｅｎｇｉｎｅｅｒｉｎｇ  Ｄｅｐａｒｔｍｅｎｔ、Ｕｎｉｖｅｒｓｉｔｙ  ｏｆ  Ｃａｌｉｆｏｒｎｉａ、Ｌｏｓ  Ａｎｇｅｌｅｓ、１９９９年６月３日（ｈｔｔｐ：／／ｗｗｗ．ｅｍｂｅｄｄｅｄ．ｃｏｍ／ｐｒｉｎｔ／４０３８２８１）に記載されている光ＭＥＭＳスイッチに基づき得る。この光ＭＥＭＳスイッチは、ｎ個の入力ファイバとｎ個の出力ファイバとに対して、ｎｘｎアレイを含む。入力ファイバの位置は、内部接続ラインＩＣＬ−１、ＩＣＬ−２を接続するのに用いられ得、出力ファイバの位置は、さらなる内部接続ラインＩＣＬ−３、ＩＣＬ−４、ＩＣＬ−５を接続するのに用いられ得る。あるいは、少なくとも１つのスイッチＳＷ−１、ＳＷ−２は、米ソーラボ社（Ｔｈｏｒｌａｂｓ）によって提供されるような光ＭＥＭＳスイッチ（たとえば、製品番号ＯＳＷ２２−ｘｘｘ−ＳＭを有する光ＭＥＭＳスイッチ）に基づき得る。少なくとも１つのスイッチＳＷ−１、ＳＷ−２は、たとえば、２次元ＭＥＭＳ光学素子であり得る。「２次元」とは、たとえば、マイクロミラーが、ある１つの入力ポートで受信された入力光信号を、並んで構成されている２つまたはそれより多くの出力ポートのうちの１つに偏向させることができるように構成されていることを意味する。
【００４８】
電力がＭＥＭＳ光スイッチに加えられていないときは、ＭＥＭＳ光スイッチのすべてのマイクロミラーは、たとえばバー状態であるそれらの初期状態に戻り、それによって、すべてのデータトラフィックが、ラインカードＬＣにおけるまたはネットワークノードＮＮにおける動作の故障をバイパスすることができる。
【００４９】
図３に示されているラインスイッチングコンポーネントＬＳＣは、第１のスイッチＳＷ−１と第２のＳＷ−２とを例示的に含む。
【００５０】
第１の入力ポートＥＩＰ−１と第１の出力ポートＥＯＰ−１とは、外部ポートである。「外部」とは、第１の入力ポートＥＩＰ−１が光伝送ネットワークの光入力ファイバＦＢ−ＩＮと接続されるように構成され、第１の出力ポートＥＯＰ−１が光伝送ネットワークの光出力ファイバＦＢ−ＯＵＴと接続されるように構成されていることを意味する。
【００５１】
第２の入力ポートＩＩＰ−２と第２の出力ポートＩＯＰ−２とは、内部ポートである。「内部」とは、第２の出力ポートＩＯＰ−２と第２の入力ポートＩＩＰ−２とが、好ましくは中間的なファイバ接続ＩＮＴ−ＦＢ−ＩＮ、ＩＮＴ−ＦＢ−ＯＵＴを介して、図５に示されているラインカードＬＣの光インタフェースＩＦ−１、ＩＦ−２の対応するポートと接続されるように構成されていることを意味する。
【００５２】
第１のスイッチＳＷ−１は、入力ポートＳＷ１−ＩＰと、第１の出力ポートＳＷ１−ＯＰ−１と、第２の出力ポートＳＷ１−ＯＰ−２と、制御インタフェースＣＩ−１とを含む。第１のスイッチＳＷ−１は、入力ポートＳＷ１−ＩＰと第１の出力ポートＳＷ１−ＯＰ−１とを接続する第１の位置と入力ポートＳＷ１−ＩＰと第２の出力ポートＳＷ１−ＯＰ−２とを接続する第２の位置との間で内部伝送経路をスイッチングするように構成されている。第１の位置と第２の位置とのどちらの１つが選択されるかは、制御インタフェースＣＩ−１に印加される制御信号の信号形式と情報コンテンツとに依存する。制御信号は、電気信号または光信号であり得る。
【００５３】
第２のスイッチＳＷ−２は、第１の入力ポートＳＷ２−ＩＰ−１と、第２の入力ポートＳＷ２−ＩＰ−２と、出力ポートＳＷ２−ＯＰと、制御インタフェースＣＩ−２とを含む。第２のスイッチＳＷ−２は、第１の入力ポートＳＷ２−ＩＰ−１と出力ポートＳＷ２−ＯＰとを接続するさらなる第１の位置と第２の入力ポートＳＷ２−ＩＰ−２と出力ポートＳＷ２−ＯＰとを接続するさらなる第２の位置との間で内部伝送経路をスイッチングするように構成されている。さらなる第１の位置とさらなる第２の位置とのどちらの１つが選択されるかは、制御インタフェースＣＩ−２に印加される制御信号の種類に依存する。
【００５４】
「入力ポート」および「出力ポート」という用語は、データトラフィックのいかなる方向性も含意しないことに留意されたい。データトラフィックは、入力ポートから出力ポートに流れることもあり得、または、出力ポートから入力ポートに流れることもあり得る。これは、たとえば、入力ファイバＦＢ−ＩＮ−１、ＦＢ−ＩＮ−２と出力ファイバＦＢ−ＯＵＴ−１−、ＦＢ−ＯＵＴ−２とが、逆方向に光信号を送信するように適用され得る場合に、発生し得る。
【００５５】
入力ポートＳＷ１−ＩＰは、内部接続ラインＩＣＬ−１を介して、第１の入力ポートＥＩＰ−１に接続される。第１の出力ポートＳＷ１−ＯＰ−１は、内部接続ラインＩＣＬ−３を介して、第１の出力ポートＳＷ２−ＩＰ−１に接続される。出力ポートＳＷ２−ＯＰは、内部接続ラインＩＣＬ−２を介して、第１の出力ポートＥＯＰ−１に接続される。第２の出力ポートＳＷ１−ＯＰ−２は、内部接続ラインＩＣＬ−４を介して、第２の出力ポートＩＯＰ−２に接続される。第２の入力ポートＳＷ２−ＩＰ−２は、内部接続ラインＩＣＬ−５を介して、第２の入力ポートＩＩＰ−２に接続される。
【００５６】
入力ポートＥＩＰ−１、ＩＩＰ−２、出力ポートＥＯＰ−１、ＩＯＰ−２と、第１のスイッチＳＷ−１と第２のスイッチＳＷ−２とのポートＳＷ１−ＩＰ、ＳＷ１−ＯＰ−１、ＳＷ１−ＯＰ−２、ＳＷ２−ＩＰ−１、ＳＷ２−ＩＰ−２、ＳＷ２−ＯＰは、好ましくは、光ファイバを接続するためのコネクタを用いて、実装され得る。
【００５７】
代替実施形態では、さらなるラインスイッチングコンポーネントが、ラインカードの２つまたはそれより多くの光入力／出力インタフェースに対して図３に示されているラインスイッチングコンポーネントの同様な機能を提供するために、さらなる１つまたはいくつかのさらなる外部入力ポートおよび外部出力ポートと、１つまたはいくつかのさらなる内部入力ポートおよび内部出力ポートとを含み得る。そのようなさらなるラインスイッチングコンポーネントは、図３に示されたラインスイッチングコンポーネントに関する説明に基づいて各当業者によって実現されることが可能であるから、簡略化のために示されていない。
【００５８】
ラインスイッチングコンポーネントＬＳＣは、さらに、制御システムＣＯＳに印加された制御信号の変化に基づいて、第２の動作モードへの強制を観察するように、または、図５に示されているラインカードＬＣにおけるもしくは図９に示されているネットワークノードＮＮにおける誤動作を観察するように構成された制御システムＣＯＳを含む。
【００５９】
制御システムＣＯＳは、たとえば、制御ポートＣＰと、スイッチＳＷ−１、ＳＷ−２の制御インタフェースＣＩ−１、ＣＩ−２と、制御インタフェースＣＩ−１、ＣＩ−２を制御ポートＣＰと接続して制御信号を制御インタフェースＣＩ−１、ＣＩ−２に印加することを可能にする内部制御ラインＣＬ−ＩＮＴとを含み得る。
【００６０】
ＭＥＭＳ光スイッチがスイッチＳＷ−１、ＳＷ−２のために用いられるときには、たとえば、電気制御信号である制御信号の電力レベルＰが、通常モードとも称されることがあり得る第１の動作モードのための所定の動作電力レベルＰｏｐに設定される。所定の電力レベルは、ＭＥＭＳ光スイッチの少なくとも１つのマイクロミラーの少なくとも１つのマイクロアクチュエータのためのバイアスとして用いられ、入力ポートＳＷ１−ＩＰから来る光信号の光ビームが第２の出力ポートＳＷ１−ＯＰ−２に偏向され、そして、第２の入力ポートＳＷ２−ＩＰ−２から来るさらなる光信号のさらなる光ビームが出力ポートＳＷ２−ＯＰに偏向されることを可能にする第１の所定の位置に、少なくとも１つのマイクロアクチュエータが少なくとも１つのマイクロミラーを移動させるように、選択される。第１の動作モードの間に、光入力信号によって、光入力ファイバＦＢ−ＩＮ、ＦＢ−ＩＮ−１、ＦＢ−ＩＮ−２のうちの１つを介して、第１の入力ポートＥＩＰ−１において受信される入力データトラフィックＩＤＴ、ＩＤＴ−１、ＩＤＴ−２（図４および図５を参照）が、インタフェースＩＦ−１、ＩＦ−２における（図５を参照）さらなる処理のために、第２の出力ポートＩＯＰ−２（図４ａおよび図５を参照）に提供される。さらに、第１の動作モードの間に、光出力信号によって光インタフェースＩＦ−１、ＩＦ−２（図５を参照）の一方からラインスイッチングコンポーネントＬＳＣ、ＬＳＣ−１、ＬＳＣ−２に提供される出力データトラフィックＯＤＴ、ＯＤＴ−１、ＯＤＴ−２（図４および図５を参照）が、第１の出力ポートＥＯＰ−１から、光出力ファイバＦＢ−ＯＵＴ、ＦＢ−ＯＵＴ−１、ＦＢ−ＯＵＴ−２（図４ａおよび図５を参照）のうちの一つを介して、送信される。
【００６１】
ＭＥＭＳ光スイッチは、通過動作モードとも称され得る第２の動作モードのために、制御信号が、ラインカードＬＣまたはネットワークノードＮＮの誤動作に起因して制御システムＣＯＳによってもはや検出されず、制御ポートＣＰに提供されることがもはや不可能であるとき、または、電気制御信号の電力レベルＰが、ラインカードＬＣもしくはネットワークノードＮＮから来てこれらによって第２の動作モードに切り替えるように命令される強制に起因して所定の動作電力レベルよりも小さな所定のスイッチ電力レベルＰｓｗに設定されるときには、たとえば、機械的バネが、少なくとも１つのマイクロミラーを、入力ポートＳＷ１−ＩＰから来る光信号の光ビームが第１の出力ポートＳＷ１−ＯＰ−１に偏向され、第１の入力ポートＳＷ２−ＩＰ−１から来るさらなる光信号のさらなる光ビームが出力ポートＳＷ２−ＯＰに偏向されることを可能にする第２の所定の位置に移動させるように、構成される。第２の動作モードの間に、光入力信号によって、光入力ファイバＦＢ−ＩＮ、ＦＢ−ＩＮ−１、ＦＢ−ＩＮ−２を介して、第１の入力ポートＥＩＰ−１において受信される入力データトラフィックＩＤＴ、ＩＤＴ−１、ＩＤＴ−２が、第１の出力ポートＥＯＰ−１（図４ｂ）を参照）に転送され、第１の出力ポートＥＯＰ−１から、さらなる光信号によって、光出力ファイバＦＢ−ＯＵＴ、ＦＢ−ＯＵＴ−１、ＦＢ−ＯＵＴ−２（図４ｂ）および図６を参照）を介して、送信される。
【００６２】
動作モードと、電気制御信号の電力レベルと、スイッチＳＷ−１、ＳＷ−２のスイッチング状態との間の例示的関係が、次の表１に要約されている：
【００６３】
【表１】
0006553301.tif 000002
【００６４】
図３に示されているラインスイッチングコンポーネントＬＳＣは、例示的に、単一の入力ポートＥＩＰ−１と単一の出力ポートＥＯＰ−１とを有するように示され、光インタフェースＩＦ−１、ＩＦ−２の一方から光インタフェースＩＦ−１、ＩＦ−２の他方への単一の通過トラフィックのために、接続され、適用されるように、設計されている。簡略化のために図示されていないさらなる実施形態では、ラインスイッチングコンポーネントＬＳＣは、さらなる光インタフェースの間でさらなる通過トラフィックを処理するさらに多くの光インタフェースのために、接続され、適用されるように、設計されることがあり得る。そのような場合には、ラインスイッチングコンポーネントＬＳＣは、対応する個数の第１の入力ポートと、第１の出力ポートと、第２の出力ポートと、第２の入力ポートとを含み得る。これは、簡略化のために図示されていないが、当業者によれば、図３に関する説明に基づいて、容易に実現されることが可能である。
【００６５】
ラインスイッチングコンポーネントＬＳＣが複数の通過トラフィックを処理するように構成されるときには、ラインスイッチングコンポーネントＬＳＣは、好ましくは、同時に、同じ動作モードで光インタフェースを動作させる（たとえば、第１の動作モードまたは第２の動作モード）、または、逆の動作モードで光インタフェースを別々に動作させる（たとえば、通過トラフィックを２つのさらなる光インタフェースの一方から２つのさらなる光インタフェースの他方に通過させるために、第１の動作モードで２つの光インタフェースを動作させ、同時に、２つのさらなる光インタフェースを第２の動作モードで動作させる）ように、構成され得る。これは、たとえば、インタフェースのそれぞれ１つに制御信号を印加し、たとえば電気制御信号の電力レベルを反転させるか、または、対応する光インタフェースのためにスイッチＳＷ−１、ＳＷ−２のデフォルト状態を反転させることのいずれかによって、容易に行われ得る。
【００６６】
ラインスイッチングコンポーネントＬＳＣは、光入力ファイバＦＢ−ＩＮを介して受信される任意のビットレートの任意のタイプの光伝送信号に対して、用いられることが可能であるが、その理由は、データトラフィックが、ラインスイッチングコンポーネントＬＳＣだけの内部で光学的に処理されるから、すなわち、データトラフィックが、電気信号に変換されないからである。したがって、ラインスイッチングコンポーネントＬＳＣは、光信号のビットレート、ボーレート、変調フォーマット、波長などに対して完全に透過的である。ラインスイッチングコンポーネントＬＳＣは、所定の波長範囲にだけではなく、ある１つの波長に適用可能である。
【００６７】
ラインスイッチングコンポーネントＬＳＣは、簡略化のために、単一の光入力ファイバＦＢ−ＩＮと単一の光出力ファイバＦＢ−ＯＵＴに対してだけ、示されている。光入力ファイバＦＢ−ＩＮは、たとえば、第１の光入力ファイバＦＢ−ＩＮ−１に対応し、光出力ファイバＦＢ−ＯＵＴは、たとえば、第２の光出力ファイバＦＢ−ＯＵＴ−２に対応し得る。双方向光インタフェースＩＦ−１、ＩＦ−２の場合には（図５を参照）、ラインスイッチングコンポーネントＬＳＣは、第２の光入力ファイバＦＢ−ＩＮ−２から第１の光出力ファイバＦＢ−ＯＵＴ−１への通過トラフィックＰＴＴを用いた第２の動作モードを可能にするためのさらなるスイッチとさらなる内部接続ラインなど、コンポーネントのさらなるセットを含み得る。そのような場合、スイッチＳＷ−１、ＳＷ−２は、光信号の反対方向への伝送のために、第１の動作モードと第２の動作モードとを処理するようにも構成され得る。これらの実施形態は、図３に関する説明に基づき、当業者によって、容易に実現されることが可能である。
【００６８】
図４ａ）は、図３のラインスイッチングコンポーネントＬＳＣとの関係で、２つのスイッチＳＷ−１、ＳＷ−２が第１の動作モードに従って調整されるときに、図２との関係で上述された終端トラフィックＴＴであり得る入力データトラフィックＩＤＴのための第１の内部伝送経路と、図２との関係でやはり上述された発生トラフィックＯＴであり得る出力データトラフィックＯＤＴのための第２の内部伝送経路とを、概略的に示している。
【００６９】
第１のスイッチＳＷ−１と第２のスイッチＳＷ−２とは、第１のスイッチＳＷ−１の入力ポートＳＷ１−ＩＰと第１のスイッチＳＷ−１の第２の出力ポートＳＷ１−ＯＰ−２とを介して、入力ポートＥＩＰ−１を出力ポートＩＯＰ−２に接続し、第２のスイッチＳＷ−２の第２の入力ポートＳＷ２−ＩＰ−１と第２のスイッチＳＷ−２の出力ポートＳＷ２−ＯＰとを介して、入力ポートＩＩＰ−２を出力ポートＥＯＰ−１に接続するように、構成されている。これにより、スイッチＳＷ−１、ＳＷ−２は、第１の動作モードの間に、第１の内部伝送経路と第２の内部伝送経路とを提供するように、構成される。
【００７０】
図４ｂ）は、図３のラインスイッチングコンポーネントＬＳＣとの関係で、２つのスイッチＳＷ−１、ＳＷ−２が第２の動作モードに従って調整されるときに、図２との関係でやはり上述された通過トラフィックＰＴＴであり得る入力データトラフィックＩＤＴのためのさらなる内部伝送経路を、概略的に示している。
【００７１】
第１のスイッチＳＷ−１と第２のスイッチＳＷ−２とは、第１のスイッチＳＷ−１の入力ポートＳＷ１−ＩＰと、第１のスイッチＳＷ−１の第１の出力ポートＳＷ１−ＯＰ−１と、第２のスイッチＳＷ−２の第１の入力ポートＳＷ２−ＩＰ−１と、第２のスイッチＳＷ−２の出力ポートＳＷ２−ＯＰとを介して、入力ポートＥＩＰ−１を出力ポートＥＯＰ−１に接続するようにさらに構成される。これにより、スイッチＳＷ−１とＳＷ−２とは、第２の動作モードの間、さらなる内部伝送経路を提供するように構成される。
【００７２】
図５は、ある例示的な実施形態によるラインカードＬＣのブロック図を概略的に示している。ラインカードＬＣは、光伝送ネットワークからの光入力信号を、光インタフェースＩＦ−１、ＩＦ−２の入力ポートＩＰ−ＩＦ−１、ＩＰ−ＩＦ−２において、受信し、光インタフェースＩＦ−１、ＩＦ−２の出力ポートＯＰ−ＩＦ−１、ＯＰ−ＩＦ−２から、光出力信号を、光伝送ネットワークに送信するための２つの光インタフェースＩＦ−１、ＩＦ−２を含む。２つの光インタフェースＩＦ−１、ＩＦ−２は、好ましくは、ＩＥＥＥ規格による、ＭＳＡ（ＭＳＡとは、プラグ着脱可能光学装置のためのデファクト規格であるマルチソースアグリーメント）と称される、たとえば１０ＧＥの双方向光インタフェースである。
【００７３】
ラインカードＬＣは、さらに、ラインスイッチングコンポーネントＬＳＣを含む。あるいは、図７との関係で後述されるラインスイッチングコンポーネントＬＳＣ−ａが、適用される場合もあり得る。
【００７４】
ラインカードＬＣは、さらに、図５に概略が示されているように、ラインスイッチングコンポーネントＬＳＣの第２の出力ポートＩＯＰ−２を、光インタフェースＩＦ−１、ＩＦ−２の入力ポートＩＰ−ＩＦ−１、ＩＰ−ＩＦ−２と接続するための内部ファイバ接続ＩＮＴ−ＦＢ−ＩＮ−１、ＩＮＴ−ＦＢ−ＩＮ−２と、ラインスイッチングコンポーネントＬＳＣの第２の入力ポートＩＩＰ−２を、光インタフェースＩＦ−１、ＩＦ−２の出力ポートＯＰ−ＩＦ−１、ＯＰ−ＩＦ−２と接続するためのさらなる内部ファイバ接続ＩＮＴ−ＦＢ−ＯＵＴ−１、ＩＮＴ−ＦＢ−ＯＵＴ−２とを含み得る。既に上述されたように、図３に示されているラインスイッチングコンポーネントＬＳＣは、さらなる内部伝送経路をやはり逆方向に提供するための同様の内部接続ラインを有するように構成され拡張されることを必要とする。
【００７５】
あるいは、ラインスイッチングコンポーネントＬＳＣが、簡略化のために図示されていない２つの光インタフェースＩＦ−１、ＩＦ−２に直接的に接続される場合もあり得る。
【００７６】
ラインカードＬＣは、さらに、処理ユニットＰＵ−１、ＰＵ−２と、さらなる内部接続ラインＩＩ−１、ＩＩ−２とを含み得る。処理ユニットＰＵ−１、ＰＵ−２のそれぞれ１つは、光インタフェースＩＦ−１、ＩＦ−２の一方の電気インタフェースに、さらなる内部接続ラインＩＩ−１、ＩＩ−２の一方を介して、接続され得る。あるいは、処理ユニットＰＵ−１、ＰＵ−２が、光インタフェースＩＦ−１、ＩＦ−２の電気インタフェースに直接に接続される場合もあり得る。処理ユニットＰＵ−１、ＰＵ−２は、図１との関係で上述された処理ユニットＰＵ−１−ＰＡ、ＰＵ−２−ＰＡとの関係で説明されたのと同様の機能を提供する。
【００７７】
好ましくは、ラインカードＬＣは、さらに、制御信号生成ユニットＣＳＧと、制御信号生成ユニットＣＳＧとラインスイッチングコンポーネントＬＳＣとの間の制御ラインＣＬとを含む。制御信号生成ユニットＣＳＧは、制御信号を、制御ラインＣＬを介して、ラインスイッチングコンポーネントＬＳＣの制御ポートＣＰに提供するように構成され得る。
【００７８】
制御信号生成ユニットＣＳＧと、制御ラインＣＬとは、さらに好ましくは、ラインスイッチングコンポーネントＬＳＣ−ａのコンデンサまたはバッテリを充電するために適用されることがあり得る（図７と対応する説明とを参照）。
【００７９】
あるいは、処理ユニットＰＵ−１、ＰＵ−２の一方が、ラインスイッチングコンポーネントＬＳＣの制御システムＣＯＳのために制御信号を生成するための制御信号生成ユニットを含むことがあり得る。この実施形態は、簡略化のために図示されていない。
【００８０】
ラインカードＬＣ（たとえば、制御信号生成ユニットＣＳＧ）とラインスイッチングコンポーネントＬＳＣとの間の制御信号プロファイルは、たとえば、ラインカードＬＣが適切に機能している限り永久的に一定の電力信号、または、その機能状態を示す所定の周波数を有する周期的信号など、いくつかの潜在的な実装形態を有し得る。本発明は、それが第１の動作モードと第２の動作モードとの間の切り替えをサポートする限り、いかなる機構および信号形式も排除しない。
【００８１】
好適な実施形態では、ラインカードＬＣが、さらに、ラインスイッチングコンポーネントＬＳＣ−１をラインカードＬＣに取り付けるように構成された取付具ＰＣＢＨ−１、ＰＣＢＨ−２を含む。これは、ラインスイッチングコンポーネントＬＳＣが、ラインカードＬＣのための交換可能なプラグインコンポーネントであることを意味する。
【００８２】
取付具ＰＣＢＨ−１、ＰＣＢＨ−２は、たとえば、Ｈプロファイルを有するＰＣＢホルダであり得る。Ｈプロファイルの一方側は、ラインカードＬＣに固定され、Ｈプロファイルの他方の開放部は、たとえば、ラインスイッチングコンポーネントＬＳＣ−２の接地プレートのエッジを挿入するために用いられる。あるいは、ラインスイッチングコンポーネントＬＳＣは、ＭＳＡのために適用されたケージによって、または、単純に、ラインスイッチングコンポーネントＬＳＣをラインカードＬＣに接続するために適用されるファイバコネクタによって、ラインカードＬＣに取り付けられる。
【００８３】
ラインスイッチングコンポーネントＬＣＳがラインカードＬＣに取り付けられ、ラインスイッチングコンポーネントＬＣＳが第１の動作モードで動作されるときには、第１の入力データトラフィックＩＤＴ−１が、光伝送ネットワークから、第１の光入力信号を介して、ラインスイッチングコンポーネントＬＣＳにおいて受信され、第１の光インタフェースＩＦ−１に提供され、第１の出力データトラフィックＯＤＴ−１が、第１の光インタフェースＩＦ−１からラインスイッチングコンポーネントＬＣＳに提供され、第１の光出力信号によって、光伝送ネットワークに送信され、第２の入力データトラフィックＩＤＴ−２が、光伝送ネットワークから、第２の光入力信号を介して、ラインスイッチングコンポーネントＬＣＳにおいて受信され、第２の光インタフェースＩＦ−２に提供され、第２の出力データトラフィックＯＤＴ−２が、第２の光インタフェースＩＦ−２からラインスイッチングコンポーネントＬＣＳに提供され、第２の光出力信号によって、光伝送ネットワークに送信される。
【００８４】
第１の入力データトラフィックＩＤＴ−１と第２の出力データトラフィックＯＤＴ−２とは、第１の入力データトラフィックＩＤＴ−１に対して左側から来ている矢印と、第２の出力データトラフィックＯＤＴ−２に対しては左方向を向いたさらなる矢印とによって指示されている第１の双方向トラフィックを表し得る。同様にして、第２の入力データトラフィックＩＤＴ−２と第１の出力データトラフィックＯＤＴ−１とは、第２の入力データトラフィックＩＤＴ−１に対して右側から来ている矢印と、第１の出力データトラフィックＯＤＴ−１に対しては右方向を向いたさらなる矢印とによって指示されている第２の双方向トラフィックを表し得る。
【００８５】
簡略化のために図示されていない代替実施形態によると、さらなるラインカードが、２より多くの光インタフェースのための類似のレイアウトを含む場合があり得る。
【００８６】
図６は、ラインスイッチングコンポーネントＬＣＳがラインカードＬＣから切断されているときの、図５のラインカードＬＣを概略的に示している。そのような場合には、制御信号生成ユニットＣＳＧ−１からラインスイッチングコンポーネントＬＣＳの制御システムＣＯＳに供給される電気制御信号はない。これは、ラインスイッチングコンポーネントＬＳＣは、ラインスイッチングコンポーネントＬＳＣがラインカードＬＣから切断されているときには、ラインスイッチングコンポーネントＬＳＣに電力がまったく供給されない第２の動作モードで受動的に動作するように構成されていることを意味する。あるいは、図８との関係で、後で論じられるラインスイッチングコンポーネントＬＳＣ−ａが、ラインスイッチングコンポーネントＬＳＣの代わりに、適用されるときには、ラインスイッチングコンポーネントＬＳＣ−ａは、ラインスイッチングコンポーネントＬＳＣ−ａの内部電源を用いることによって、第２の動作モードで能動的に動作される。
【００８７】
第１の入力データトラフィックＩＤＴ−１は、光伝送ネットワークから、第１の光入力信号として、第１の光入力ファイバＦＢ−ＩＮ−１を介して受信され、直接的に、第１の光出力信号として、第２の光出力ファイバＦＢ−ＯＵＴ−２を介して、再び光伝送ネットワークに転送される。同様にして、逆の方向で、第２の入力データトラフィックＩＤＴ−２は、光伝送ネットワークから、第２の光入力信号として、第２の光入力ファイバＦＢ−ＩＮ−２を介して受信され、直接的に、第２の光出力信号として、第１の光出力ファイバＦＢ−ＯＵＴ−１を介して、再び光伝送ネットワークに転送される。
【００８８】
これは、すべてのデータトラフィックが、たとえラインカードＬＣもしくはネットワークノードＮＮがもはや機能しない、または、通常動作モードをもはや可能にしない処理上の故障を有するもしくはもはや完全には動作可能ではない場合でも、ネイバーのネットワーク要素へのデータ接続が維持されるように、ラインスイッチングコンポーネントＬＳＣによって、送信トラフィックとして処理されることを意味する。このようにして、ラインカードＬＣの欠陥またはネットワークノードＮＮが、バイパスされる。
【００８９】
図７は、さらなる例示的な実施形態に従ってラインスイッチングコンポーネントＬＳＣ−ａを第１の動作モードと第２の動作モードとの間で切り替えるための２つのスイッチＳＷ−１、ＳＷ−２を適用するラインスイッチングコンポーネントＬＳＣ−ａのブロック図を概略的に示している。
【００９０】
ラインスイッチングコンポーネントＬＳＣ−ａは、図３に示されているラインスイッチングコンポーネントＬＳＣと類似のレイアウトを有し得る。ラインスイッチングコンポーネントＬＳＣ−ａは、さらに、電力を蓄積するための電気コンポーネントＢＡＴと、電力コントローラＰＯＷＣとを含む。電力を蓄積するための電気コンポーネントＢＡＴは、たとえば、コンデンサまたは再充電可能なバッテリであり得る。電気コンポーネントＢＡＴは、ラインスイッチングコンポーネントＬＳＣ−ａがラインカードＬＣ−ＰＡから切断されているときには、電気制御信号を、制御システムＣＯＳに提供するように構成されている。好ましくは、ラインスイッチングコンポーネントＬＳＣ−ａは、さらに、スイッチＳＷ−１、ＳＷ−２を第１の動作モード（たとえば、所定の電力レベルＰｎｏｍに基づく）または第２の動作モード（たとえば、所定の電力レベルＰｆｏｍに基づく）のいずれかのためのスイッチングモードに保つために適用されることが必要な、所定の電力レベルＰｎｏｍまたは所定の電力レベルＰｆｏｍのいずれかを、制御信号に提供するように構成されている電力コントローラＰＯＷＣを含む。電力コントローラＰＯＷＣは、制御ポートＣＰと、電気コンポーネントＢＡＴと、スイッチＳＷ−１、ＳＷ−２の制御インタフェースＣＩ−１、ＣＩ−２とに接続される。
【００９１】
図７に示されている実施形態に関して、スイッチＳＷ−１、ＳＷ−２は、好ましくは、いわゆるＬＣｏＳ（Ｌｉｑｕｉｄ  Ｃｒｙｓｔａｌ  ｏｎ  Ｓｉｌｉｃｏｎ）スイッチであり得る。第２の動作モードで動作されるためにどのような電気制御信号も必要としないＭＥＭＳ光スイッチとは対照的に、ＬＣｏＳスイッチは、第１の動作モードまたは第２の動作モードのいずれかで機能するために電気制御信号の所定の電力レベルを、常に要求する。
【００９２】
ＭＥＭＳ光スイッチは、ＬＣｏＳスイッチと同様に、ラインスイッチングコンポーネントＬＳＣ、ＬＳＣ−ａの反応と電気制御信号のタイミング挙動に対する制約をまったく含意しない。好ましくは、電気制御信号とラインスイッチングコンポーネントＬＳＣ、ＬＳＣ−ａのスイッチング時間とは、ラインカードが故障したときの非常に迅速な反応をサポートしており、たとえば、ラインカードの故障と第１の動作モードから第２の動作モードへの切り替えの完了との間の時間は、５０ミリ秒（ｍｓｅｃ）未満である。
【００９３】
ＬＣｏＳスイッチは、小型化された反射型アクティブ−マトリクス液晶ディスプレイであり、すなわち、シリコンバックプレーンの上に液晶層を用いたいわゆるマイクロディスプレイである。たとえば、ＬＣｏＳスイッチは、フィニサーによって提供される設計をベースとし得るＷＳＳ（ＷＳＳ＝波長選択スイッチ）であり得る（たとえば、「ＥＷＰｆフレックスグリッド・イネーブルド・エッジ波長プロセッサＷＳＳ（ＥＷＰｆ  Ｆｌｅｘｇｒｉｄ  ｅｎａｂｌｅｄ  ｅｄｇｅ  ｗａｖｅｌｅｎｇｔｈ  ｐｒｏｃｅｓｓｏｒ  ＷＳＳ）」という名称の製品）。そのようなＷＳＳを用いることである実施形態が可能になり、その場合、たとえば、第１の動作モードでは、所定の光周波数範囲の単一光波長が動作され、第２の動作モードでは、所定の光周波数範囲のすべてのさらなる光波長が動作される。
【００９４】
動作モードと、電気制御信号の電力レベルと、ＬＣｏＳスイッチであるスイッチＳＷ−１、ＳＷ−２のスイッチング状態との関係が、次の表２に要約されている：
【００９５】
【表２】
0006553301.tif 000003
【００９６】
所定の電力レベルＰｎｏｍが、第１の動作モードのために印加され得るのに対して、所定の電力レベルＰｎｏｍよりも好ましくは小さいことがあり得る、さらなる所定の電力レベルＰｆｏｍが、第２の動作モードのために印加され得る。
【００９７】
ＬＣｏＳスイッチは、ラインスイッチングコンポーネントＬＳＣ−ａがラインカードから切断されているときには、電気コンポーネントＰＳＭによって、第２の動作モードで動作される。
【００９８】
図８は、一例示的実施形態による、ネットワークノードＮＮ（図９を参照）のラインカードＬＣ（図５および図６を参照）のラインスイッチングコンポーネントＬＣＳ（図３を参照）、ＬＣＳ−ａ（図７を参照）を動作させるための方法ＭＥＴの流れ図を概略的に示している。方法ＭＥＴは、ラインスイッチングコンポーネントＬＳＣ、ＬＳＣ−ａを第１の動作モードで動作させる第１のステップＳ１で、開始し得る。あるいは、方法ＭＥＴは、たとえばステップＳ５によって表される第２の動作モードにあるラインスイッチングコンポーネントＬＳＣ、ＬＳＣ−ａの動作で、開始し得る。
【００９９】
第１のステップＳ１では、ラインスイッチングコンポーネントＬＳＣ、ＬＳＣ−ａが、１つまたは複数の光インタフェースＩＦ−１、ＩＦ−２における光入力信号のさらなる処理のために、光伝送ネットワークから、光入力信号を、ラインスイッチングコンポーネントＬＳＣ、ＬＳＣ−ａを介して、ラインカードＬＣの１つまたは複数の光インタフェースＩＦ−１、ＩＦ−２において受信し、１つまたは複数の光インタフェースＩＦ−１、ＩＦ−２から、光出力信号を、ラインスイッチングコンポーネントＬＳＣ、ＬＳＣ−ａを介して、光伝送ネットワークに送信することによって、第１の動作モードで動作される。第１のステップＳ１は、好ましくは、ラインスイッチングコンポーネントＬＳＣ、ＬＳＣ−ａがラインカードＬＣに接続されているときに、実行され得る。
【０１００】
さらなるステップ２では、ラインスイッチングコンポーネントＬＳＣ、ＬＳＣ−ａの制御システムＣＯＳは、たとえば、電力レベルの変化を求めて、電気制御信号を、好ましくは連続的に観察し得るが、これは、ラインカードＬＣもしくはネットワークノードＮＮにおいて誤動作が生じたこと、または、ラインスイッチングコンポーネントＬＳＣ、ＬＳＣ−ａが第１の動作モードから第２の動作モードに切り替わることが明示的に要求されることのヒントであり得るからである。誤動作は、たとえば、電気制御信号の電力レベルがゼロであり、電気制御信号がもはや検出不可能であるときに、観察され得る。強制は、たとえば、電気制御信号の電力レベルが明示的にゼロの電力レベルに変化するとき（たとえば、スイッチＳＷ−１、ＳＷ−２のために、ＭＥＭＳ光スイッチが適用されるとき）、または、たとえば、第１の動作モードに対する所定の電力レベルＰｎｏｍよりも小さな、所定の電力レベルＰｆｏｍに変化したとき（たとえば、ＬＣｏＳスイッチが、スイッチＳＷ−１、ＳＷ−２のために適用されるとき）に、観察され得る。
【０１０１】
次のステップＳ３では、ラインスイッチングコンポーネントＬＳＣ、ＬＳＣ−ａを第１の動作モードから第２の動作モードに明示的に切り替えるために、誤動作が生じているかまたは強制が受信されているかが決定される。
【０１０２】
誤動作または強制が決定されない（たとえば、電気制御信号の変化がない）場合には、ステップＳ２が再び反復される。そうではなくて、誤動作または強制が決定されると、ステップＳ４がさらなるステップとなり得る。
【０１０３】
さらなるステップＳ４により、ラインスイッチングコンポーネントＬＳＣ、ＬＳＣ−ａは、図３、４および６との関係で上述されたスイッチング可能な光経路システムＳＬＳを用いることにより、好ましくは自動的に第２の動作モードに切り替えられる。
【０１０４】
次のステップＳ５においては、ラインスイッチングコンポーネントＬＳＣ、ＬＳＣ−ａが、光入力信号を光出力信号として送信するために、ラインスイッチングコンポーネントＬＳＣ、ＬＳＣ−ａの入力ポートＥＩＰ−１からの光入力信号を、好ましくは内部的に、ラインスイッチングコンポーネントＬＳＣ、ＬＳＣ−ａの出力ポートＥＯＰ−１に転送することによって、第２の動作モードで動作される。第１のステップＳ５は、ラインスイッチングコンポーネントＬＳＣ、ＬＳＣ−ａがラインカードＬＣから切断されているが実行されているとき、ラインスイッチングコンポーネントＬＳＣ、ＬＳＣ−ａが依然としてラインカードＬＣに接続されているとき、および、たとえば、ラインカードＬＣまたはネットワークノードＮＮが修理もしくは交換されていない限り、好ましくは実行され得る。ステップＳ５の間に、動作故障を有するラインカードＬＣは、動作故障を有していない別のラインカードによって、交換されることがあり得る。
【０１０５】
さらなるステップＳ６では、ラインスイッチングコンポーネントＬＳＣ、ＬＳＣ−ａの制御システムＣＯＳは、再び、たとえば、電力レベルの変化に関して、電気制御信号を好ましくは連続的に観察し得るのであるが、この電力レベルの変化は、ラインカードＬＣまたはネットワークノードＮＮが再び通常動作で機能していること、または、ラインスイッチングコンポーネントＬＳＣ、ＬＳＣ−ａが第２の動作モードから第１の動作モードへ切り替わることを明示的に要求されなければならないことのヒントであり得る。ラインカードＬＣの通常動作モードまたは作業動作モードは、たとえば、電気制御信号が所定の電力レベルＰｏｐまたは所定の電力レベルＰｎｏｍを有するときに、観察され得る。強制は、たとえば、電気制御信号の電力レベルが所定の電力レベルＰｏｐに明示的に変化するとき（たとえば、スイッチＳＷ−１、ＳＷ−２に対して、ＭＥＭＳ光スイッチが適用されるとき）、または、第２の動作モードのための所定の電力レベルＰｆｏｍよりも大きなことがあり得る所定の電力レベルＰｆｏｍに変化するとき（たとえば、スイッチＳＷ−１、ＳＷ−２に対して、ＬＣｏＳスイッチが適用されるとき）に、観察され得る。
【０１０６】
次のステップ７では、ラインカードＬＣもしくはネットワークノードＮＮが再び通常動作にあるかどうか、または、ラインスイッチングコンポーネントＬＳＣ、ＬＳＣ−ａを第２の動作モードから第１の動作モードに明示的に切り替えるために、さらなる強制が受信されるかどうか、が決定される。
【０１０７】
通常機能もさらなる強制も決定されなかった（たとえば、電気制御信号の変化がない）場合には、ステップＳ６が再び反復される。そうではなく、通常動作モードが決定された、またはさらなる強制が決定されなかったときには、ステップＳ８が、さらなるステップであり得る。
【０１０８】
さらなるステップＳ８によると、ラインスイッチングコンポーネントＬＳＣ、ＬＳＣ−ａは、好ましくは、図３、４および５との関係で上述されたスイッチング可能な光経路システムＳＬＳを用いることによって、第１の動作モードに自動的に切り替えられる。
【０１０９】
ステップＳ８より後のさらなるステップは、再び、ステップＳ１となり得る。
【０１１０】
図９は、ある例示的な実施形態による１つのラインカードＬＣまたは複数のラインカードＬＣ−１、ＬＣ−２、・・・、ＬＣ−ｎを含むネットワークノードＮＮのブロック図を概略的に示している。ラインカードＬＣ−１、ＬＣ−２、・・・、ＬＣ−ｎのそれぞれは、たとえば、図３または図７との関係で上述された実施形態に従って、設計されなければならない場合があり得る。ネットワークノードＮＮは、スイッチカード、コントローラまたは電源など、他のコンポーネントを含む場合もあり得るが、これらは、簡略化のために、図示されていない。
【０１１１】
ネットワークノードＮＮは、たとえば、ＩＰルータ、イーサネットスイッチ、ＳＤＨ／Ｓｏｎｅｔ交差／接続、ＯＴＮ交差−接続、ＷＤＭシステムなど、または、これらの機能のいくつかの組合せであり得る。
【０１１２】
本明細書および図面は、単に、本発明の原理を例証するものである。したがって、本明細書では明示的に説明されておらず示されてもいないが、当業者であれば、本発明の原理を具現化し、その精神と範囲とに含まれる様々な構成を考案可能であることは、理解されるだろう。さらに、本明細書に記載されたすべての例は、基本的に、読者が、本発明の原理と技術分野の発展のために発明者により寄与された概念とを理解する際の補助になる教育的な目的のためのものにすぎない、ということが明確に意図されており、それらの個別的に記載された例および条件に限定されずに、解釈されるべきである。その上に、本発明の原理、態様、および実施形態、ならびにそれらの特定の例に言及する本明細書の全記載はそれらの均等物にも及ぶことが意図されている。
【０１１３】
「送信のための手段」、「受信のための手段」、「決定のための手段」など（ある機能を実行する）のように示されている機能ブロックは、ある機能を実行するように構成された回路をそれぞれ備える機能ブロックとして、理解されるべきである。よって、「何かのための手段」とは、「何かのために構成されたまたは適した手段」として理解されるべきである。よって、ある機能を実行するために構成されている手段とは、それらの手段が前記機能を（ある与えられた時点において）必ず実行していることを含意しない。
【０１１４】
図面に示されておりいずれかの機能ブロックを含む様々な要素の機能は、たとえばプロセッサなどの専用のハードウェアや、適切なソフトウェアと関連してソフトウェアを実行させることが可能なハードウェアを用いることを通じて、提供され得る。プロセッサによって提供されるときに、それらの機能は、単一の専用プロセッサによって、単一の共有プロセッサによって、または一部が共有され得る複数の個別プロセッサによって提供され得る。さらに、「プロセッサ」または「コントローラ」という用語の明示的な使用は、ソフトウェアを実行可能なハードウェアだけを排他的に指すものと解釈されるべきではなく、暗黙的に、これらに限定されることはないが、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するためのリードオンリメモリ（ＲＯＭ）、ランダムアクセスメモリ（ＲＡＭ）、および不揮発性ストレージを含み得る。従来型および／またはカスタムなど、他のハードウェアも含まれ得る。
【０１１５】
当業者には、本明細書におけるどのブロック図も本発明の原理を具現化する例証となる回路の概念図を表すということが、理解されるはずである。同様に、どのフローチャート、流れ図、状態遷移図、擬似コードなども、コンピュータ可読媒体において実質的に表現され得るのであって、そのようなコンピュータまたはプロセッサが明示的に示されているかどうかとは関係なく、コンピュータまたはプロセッサによって実行され得る様々なプロセスを表す、ということが理解されるだろう。
【０１１６】
さらに、以下の特許請求の範囲は、詳細な説明に組み込まれるが、各請求項は、別々の実施形態として、それ自体で独立に存立し得る。各請求項は別々の実施形態としてそれ自体で独立に存立し得るが、ある従属請求項が特許請求の範囲において１つまたは複数の他の請求項との特定の組合せに言及する場合があり得るとしても、他の実施形態もまた、その従属請求項とそれぞれの他の従属請求項の主題との組合せも含み得る、ということが注意されるべきである。そのような組合せは、ある特定の組合せは意図されていないという記載がない限り、本明細書において提案されることになる。さらに、ある請求項の特徴をいずれかの他の独立請求項に含ませるということも、この請求項が、その独立請求項に直接的に従属しない場合であっても、意図される。
【０１１７】
本明細書または特許請求の範囲に開示されている方法ＭＥＴは、これらの方法の対応するステップのそれぞれを実行するための手段を有するデバイスによって実装され得る、ということがさらに注意されるべきである。好ましくは、あるコンピュータプログラム製品が、このコンピュータプログラム製品がＤＳＰ、ＡＳＩＣまたはＦＰＧＡなど少なくとも１つのプログラマブルなハードウェアデバイス上で実行されるときに方法ＭＥＴを実行するためのコンピュータ実行可能な命令を含むことがあり得る。好ましくは、デジタルデータストレージデバイスが、方法ＭＥＴを実行するための命令のマシン実行可能なプログラムをエンコードする場合があり得る。
【０１１８】
さらに、本明細書または特許請求の範囲に開示されている複数のステップまたは機能は、特定の順序の範囲内のものとして解釈されない場合もあり得る、ということが理解されるべきである。したがって、複数のステップまたは機能の開示があるとしても、それらのステップまたは機能が技術的理由のために相互に交換不可能でない限り、それらを特定の順序に限定することはない。さらに、いくつかの実施形態では、単一のステップが、複数のサブステップを含むまたは複数のサブステップに分解されることがあり得る。そのようなサブステップは、明示的に排除されていない限り、この単一のステップの開示に含まれ、この単一のステップの開示の一部であり得る。
【図１】
0006553301.tif 000004
【図２】
0006553301.tif 000005
【図３】
0006553301.tif 000006
【図４】
0006553301.tif 000007
【図５】
0006553301.tif 000008
【図６】
0006553301.tif 000009
【図７】
0006553301.tif 000010
【図８】
0006553301.tif 000011
【図９】
0006553301.tif 000012